【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
式（Ｉ）の色素を用いて増感された酸化物半導体微細粒子で製造された多孔質膜を含む電極層
【化１】
2011517363.tif 000001
［式中、
Ａはピリジニウム*Ｙ-、キノリニウム*Ｙ-またはイソキノリニウム*Ｙ-であり、そのそれぞれは置換されていないか、若しくは置換されている；
Ｙ-は無機または有機のアニオン、好ましくはＣｌ-、Ｂｒ-、Ｉ-、ＳＣＮ-、ＢＦ4-、ＰＦ6-、ＣｌＯ4-、ＳｂＦ6-、ＡｓＦ6-またはカルボキシレート、スルホネート、スルフェート、ホスフェート、ホスホネートからなる群から選択される有機アニオンである；
ｎは０または１、好ましくは０である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ8−アルキル、式（ＩＩ）
【化２】
2011517363.tif 000002
の基、または置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されている；  または、Ｒ1とＲ2、Ｒ1とＲ15、Ｒ1とＲ16、Ｒ2とＲ15、Ｒ2とＲ16、またはＲ3とＲ4とが共に、置換されていない若しくは置換された脂肪族の５、６または７員環を形成する；  または、Ｒ2とＲ15とが共に、置換されていない若しくは置換された複素環式芳香族の５、６または７員環を形成する；  または、
【化３】
2011517363.tif 000003
基についてオルトの位置にある置換基Ａと、ｎ＝０の場合はＲ2、またはｎ＝１の場合はＲ4のいずれかとが共に、置換されていない若しくは置換された脂肪族の５、６または７員環を形成する；  またはＲ1はＤである；  またはＤが式（ＩＶ）の基の場合、Ｒ1とＲ18とが共に、置換されていない若しくは置換された５、６または７員環を形成してもよい；
ただし、Ｒ1〜Ｒ4の少なくとも１つはフッ素化されたＣ1〜Ｃ8−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である
【化４】
2011517363.tif 000004
Ｒ5はＮＲ8、Ｎ−ＯＲ8、Ｎ−ＮＲ8Ｒ9、ＯまたはＳである；
Ｒ6はＣＯ−ＳＲ7、ＣＯ−ＮＲ7−ＮＲ10Ｒ11、ＣＯ−ＮＲ7−ＯＲ10、ＣＯ−Ｏ−ＣＯ−Ｒ7、ＣＯ−ＮＲ7−ＣＯ−Ｒ10、ＣＯ−ＮＲ7−ＣＯ−ＯＲ10、ＣＯ−ＮＲ7−ＣＯ−ＮＲ10Ｒ11、ＮＲ7Ｒ10、ＯＲ7、ＳＲ7、ＮＲ7−ＮＲ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、ＮＲ12−Ｃ（＝ＮＲ13）Ｒ7、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ8およびＲ9は独立してＨまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ7、Ｒ10およびＲ11は独立してＨまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ3〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
または、Ｒ7またはＲ10は、前記のＲ7またはＲ10を含むＲ1〜Ｒ4の基として同一の二重結合に結合しているＲ1〜Ｒ4の基と共に、置換されていない若しくは置換された脂肪族の５、６または７員環を形成する；  または、Ｒ7またはＲ10がＲ2の一部である場合、それはＲ15またはＲ16と共に置換されていない若しくは置換された脂肪族の６または７員環を形成できる；  または、Ｒ7またはＲ10が、ｎが０の際にＲ2の一部である場合、若しくはｎが１の際にＲ4の一部である場合、それは
【化５】
2011517363.tif 000005
基についてオルトの位置にある置換基Ａと共に、置換されていない若しくは置換された脂肪族の５、６または７員環を形成できる；
Ｒ12およびＲ13は共に、置換されていない若しくは置換された５、６または７員環を形成する；
Ｒ14は独立して、Ｈまたは置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは独立して式（ＩＩＩ）または（ＩＶ）の基である
【化６】
2011517363.tif 000006
Ｒ17およびＲ18は独立して、置換されていない若しくは置換されたＣ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；  またはＲ17とＲ18、Ｒ17とＲ22、Ｒ17とＲ20および／またはＲ18とＲ19とが共に、置換されていない若しくは置換された５、６または７員環を形成する；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、Ｓ−ＣＯ−Ｒ25、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、または置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
Ｒ25、Ｒ26およびＲ27は独立してＨまたは置換されていない若しくは置換されたＣ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、またはＣ6〜Ｃ20−シクロアルキニルであり、ここで、アルキルおよびシクロアルキルは中断されていないか、若しくはＯ、Ｓ、ＮＲ14またはそれらの組み合わせによって中断されている；
ただし、Ａ若しくはＲ1〜Ｒ4の少なくとも１つ、またはＡおよびＲ1〜Ｒ4の少なくとも１つはＧ基を含み、ここでＧは−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である；
Ｒ28は直接結合、または置換されていない若しくは置換されたＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンである；  且つ
Ｚ+は、Ｎ（Ｒ14）4+、Ｌｉ+、Ｎａ+またはＫ+であるか、または式（Ｉ）の化合物の一部であるＡ基の一部としてのアンモニウムカチオンである］。
【請求項２】
請求項１に記載の電極層であって、
Ａは式（Ｖ）〜（ＩＸ）の基である
【化７】
2011517363.tif 000007
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-またはＣ1〜Ｃ20−アルキル−ＣＯＯ-、Ｃ6〜Ｃ20−アリール−ＣＯＯ-、Ｃ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていない、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）、Ｏ−Ｐ（＝Ｏ）（ＯＨ）（Ｏ-）からなる群から選択される；
Ｒ29はＧ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはフッ素、ピリジニウム*Ｙ-、キノリニウム*Ｙ-またはイソキノリニウム*Ｙ-によって置換されており、ここでピリジニウム、キノリニウムおよびイソキノリニウムは、置換されていないか、若しくはＧ、Ｃ1〜Ｃ20−アルキルまたはそれらの組み合わせによって置換されている；
Ｒ30、Ｒ31、Ｒ32、Ｒ33、Ｒ34およびＲ35は独立してＧ、Ｈ、ハロゲン、ピリジニウム*Ｙ-、キノリニウム*Ｙ-、イソキノリニウム*Ｙ-、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルであり、ここでピリジニウム、キノリニウム、イソキノリニウム、アルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらに１〜４個のＣ1〜Ｃ20−アルキルによって置換されてもよく、且つ、ここでピリジニウム、キノリニウムおよびイソキノリニウムはさらにＧ、Ｃ1〜Ｃ20−アルキルまたはそれらの組み合わせによって置換されてもよい；
または、Ｒ29〜Ｒ35の２つのビシナルの基は共に、トリメチレン、テトラメチレンまたはペンタメチレンを形成し、そのそれぞれは置換されていないか、若しくはＧ、ベンゾ、Ｒ14またはそれらの組み合わせによって置換されている
ｎは０または１である；
Ｒ1、Ｒ2、Ｒ3、およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ8−アルキル、式（ＩＩ）の基、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
またはＲ1はＤである；
または、Ｒ1とＲ15、若しくはＲ1とＲ16とが共に、エチレン、トリメチレン、テトラメチレン、メチレン−Ｏ、Ｏ−メチレン、エチレン−Ｏ、Ｏ−エチレン、トリメチレン−Ｏ、Ｏ−トリメチレン、メチレン−ＮＲ14、ＮＲ14−メチレン、エチレン−ＮＲ14、ＮＲ14−エチレン、トリメチレン−ＮＲ14またはＮＲ14−トリメチレンを形成し、従って脂肪族の５、６または７員環を形成する；
または、Ｒ2とＲ15とが共に−Ｏ−、−Ｓ−または−ＮＲ14−を形成する；
または、Ｄが式（ＩＶ）の基である場合、Ｒ1とＲ18とが、Ｒ17およびＲ18が結合するＮ原子と共に、
【化８】
2011517363.tif 000008
を形成でき、ここで、前記の基のそれぞれにおいて１つまたはそれより多くのＨ原子はＣ1〜Ｃ20−アルキル、Ｃ1〜Ｃ20−アルキリデン、フェニルまたはそれらの組み合わせによって置き換えられてもよく、前記の基のそれぞれにおいて２つのジェミナルのＨ原子はＣ1〜Ｃ20−アルキリデンによって置き換えられてもよく、および／または前記の基のそれぞれにおいて２つのビシナルのＨ原子はベンゾ、トリメチレンまたはテトラメチレンによって置き換えられてもよい；
ただし、Ｒ1〜Ｒ4の少なくとも１つはフッ素化されたＣ1〜Ｃ8−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5はＮＲ8、Ｎ−ＯＲ8、Ｎ−ＮＲ8Ｒ9、ＯまたはＳである；
Ｒ6はＮＲ7Ｒ10、ＯＲ7、ＳＲ7、ＮＲ7−ＮＲ10Ｒ11、ＮＲ7−ＯＲ10、Ｏ−ＣＯ−Ｒ7、Ｏ−ＣＯ−ＯＲ7、Ｏ−ＣＯ−ＮＲ7Ｒ10、ＮＲ7−ＣＯ−Ｒ10、ＮＲ7−ＣＯ−ＯＲ10、ＮＲ7−ＣＯ−ＮＲ10Ｒ11、ＣＯ−Ｒ7、ＣＯ−ＯＲ7、ＣＯ−ＮＲ7Ｒ10、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ8およびＲ9は独立してＨ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ7、Ｒ10およびＲ11は独立してＨ、Ｃ1〜Ｃ20−アルキル、Ｃ2〜Ｃ20−アルケニル、Ｃ2〜Ｃ20−アルキニル、Ｃ6〜Ｃ20−アリール、Ｃ3〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはＧ、ハロゲン、Ｓ−Ｒ14、Ｏ−Ｒ14、ＣＯ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、フッ素化されたＣ1〜Ｃ20−アルキル、フッ素化されたＯ−Ｃ1〜Ｃ20−アルキル、−ＣＮ、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてよい；
または、Ｒ2の一部であるＲ7若しくはＲ10は、Ｒ1と共に直接結合、メチレンまたはエチレンを形成し、従って脂肪族の５、６または７員環を形成する；
または、Ｒ4の一部であるＲ7若しくはＲ10は、Ｒ3と共に直接結合、メチレンまたはエチレンを形成し、従って脂肪族の５、６または７員環を形成する；
または、Ｒ7若しくはＲ10がＲ2の一部である場合、それはＲ15またはＲ16と共に直接結合またはメチレンを形成でき、従って脂肪族の６または７員環を形成する；
または、Ｒ7若しくはＲ10が、ｎが０の際にＲ2の一部であるか、若しくはｎが１の際にＲ4の一部である場合、それは
【化９】
2011517363.tif 000009
基についてオルトの位置にある置換基Ａと共に、直接結合、メチレンまたはエチレンを形成でき、従って脂肪族の５、６または７員環を形成する；
Ｒ14、Ｒ14’は独立して、Ｈ、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ5〜Ｃ20−シクロアルキル、Ｃ5〜Ｃ20−シクロアルケニルまたはＣ6〜Ｃ20−シクロアルキニルである；
Ｄは独立して式（ＩＩＩ）または（ＩＶ）の基である
Ｒ17およびＲ18は独立してフルオレニル、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでフルオレニル、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つフルオレニル、アリールおよびヘテロアリールはさらに、マレイン酸無水物基、マレイミジル、インデニル、Ｃ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてよく、ここで、マレイン酸無水物基およびマレイミジルは置換されていないか、若しくは、Ｃ1〜Ｃ20−アルキル、Ｃ6〜Ｃ20−アリール、フェニル−ＮＲ14Ｒ14’またはそれらの組み合わせによって置換される；
またはＲ17およびＲ18は、それらが結合しているＮと共に、ピペリジニル、ピペラジニル、モルフォリニル、イミダゾリジニルまたはピロリジニルを形成し、そのそれぞれは置換されていないか、若しくはＣ1〜Ｃ20−アルキル、Ｃ1〜Ｃ20−アルキリデン、ベンゾ、トリメチレン、テトラメチレンまたはそれらの組み合わせによって置換されており、それらは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換されている；
または、Ｒ17とＲ22、Ｒ17とＲ20、および／またはＲ18とＲ19とが、Ｒ17およびＲ18が結合しているＮ原子と共に、
【化１０】
2011517363.tif 000010
を形成し、ここで、前記の基のそれぞれにおいて、１つまたはそれより多くのＨ原子はＣ1〜Ｃ20−アルキル、Ｃ1〜Ｃ20−アルキリデン、フェニル、またはそれらの組み合わせによって置き換えられてもよく、前記の基のそれぞれにおいて、２つのジェミナルのＨ原子はＣ1〜Ｃ20−アルキリデンによって置き換えられてもよく、および／または前記の基のそれぞれにおいて、２つのビシナルのＨ原子はベンゾ、トリメチレンまたはテトラメチレンによって置き換えられてもよく、ここでベンゾは置換されていないか、もしくはメチル（フルオレン−９−イリデン）によって置換されている；
Ｒ15、Ｒ16、Ｒ19、Ｒ20、Ｒ21、Ｒ22、Ｒ23およびＲ24は独立して、Ｈ、ＮＲ25Ｒ26、ＯＲ25、ＳＲ25、ＮＲ25−ＮＲ26Ｒ27、ＮＲ25−ＯＲ26、Ｏ−ＣＯ−Ｒ25、Ｏ−ＣＯ−ＯＲ25、Ｏ−ＣＯ−ＮＲ25Ｒ26、ＮＲ25−ＣＯ−Ｒ26、ＮＲ25−ＣＯ−ＯＲ26、ＮＲ25−ＣＯ−ＮＲ26Ｒ27、ＣＯ−Ｒ25、ＣＯ−ＯＲ25、ＣＯ−ＮＲ25Ｒ26、ＣＯ−ＳＲ25、ＣＯ−ＮＲ25−ＮＲ26Ｒ27、ＣＯ−ＮＲ25−ＯＲ26、ＣＯ−Ｏ−ＣＯ−Ｒ25、ＣＯ−Ｏ−ＣＯ−ＯＲ25、ＣＯ−Ｏ−ＣＯ−ＮＲ25Ｒ26、ＣＯ−ＮＲ25−ＣＯ−Ｒ26、ＣＯ−ＮＲ25−ＣＯ−ＯＲ26、Ｃ1〜Ｃ20−アルキル、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここで、アルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよい；
Ｒ25、Ｒ26およびＲ27は独立してＨ、Ｃ1〜Ｃ20−アルキル、Ｃ6〜Ｃ20−アリール、Ｃ2〜Ｃ20−アルケニル、Ｃ2〜Ｃ20−アルキニル、Ｃ6〜Ｃ20−アリール、Ｃ4〜Ｃ20−ヘテロアリール、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニルまたはＣ6〜Ｃ20−シクロアルキニルであり、ここでアルキルおよびシクロアルキルは中断されていないか、若しくはＯ、Ｓ、ＮＲ14またはそれらの組み合わせによって中断されており、且つ、ここでアルキル、アルケニル、アルキニル、アリール、ヘテロアリール、アラルキル、アラルケニル、アラルキニル、シクロアルキル、シクロアルケニルおよびシクロアルキニルは置換されていないか、若しくはピリジニウム*Ｙ-、マレイン酸無水物基、マレイミジル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリールおよびヘテロアリールはさらにＣ1〜Ｃ20−アルキル、Ｃ2〜Ｃ20−アルケニル、Ｃ2〜Ｃ20−アルキニル、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニルまたはそれらの組み合わせによって置換されてもよく、ここで、ピリジニウム、マレイン酸無水物基、マレイミジルは置換されていないか、若しくはＣ1〜Ｃ20−アルキル、Ｃ2〜Ｃ20−アルケニル、Ｃ2〜Ｃ20−アルキニル、Ｃ6〜Ｃ20−アリール、Ｃ6〜Ｃ20−アリール−Ｏ−Ｒ14、Ｃ7〜Ｃ20−アラルキル、Ｃ8〜Ｃ20−アラルケニル、Ｃ8〜Ｃ20−アラルキニル、Ｃ4〜Ｃ20−シクロアルキル、Ｃ5〜Ｃ20−シクロアルケニル、Ｃ6〜Ｃ20−シクロアルキニル、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、またはそれらの組み合わせによって置換される；
ただし、Ｒ29〜Ｒ35の少なくとも１つ若しくはＲ1〜Ｒ4の少なくとも１つ、またはＲ29〜Ｒ35の少なくとも１つおよびＲ1〜Ｒ4の少なくとも１つはＧ基を含む；
ここでＧは、−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、−Ｒ28−Ｏ−Ｐ（＝Ｏ）（ＯＨ）（Ｏ-Ｚ+）である、
Ｒ28は直接結合、またはＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ9−ヘテロアリーレン、Ｃ7〜Ｃ11−アラルキレン、Ｃ8〜Ｃ11−アラルケニレン、Ｃ8〜Ｃ11−アラルキニレン、Ｃ6〜Ｃ11−ヘテロアラルキレン、Ｃ7〜Ｃ11−ヘテロアラルケニレン、Ｃ7〜Ｃ11−ヘテロアラルキニレンまたはＣ5〜Ｃ6−シクロアルキレンであり、ここで前記の基のそれぞれは置換されていないか、若しくはハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’、Ｓ（＝Ｏ）2ＯＲ14、Ｓ（＝Ｏ）2Ｏ-Ｚ+またはそれらの組み合わせによって置換され、且つ、アリーレンおよびヘテロアリーレンはさらに１〜４個のＣ1〜Ｃ20−アルキルによって置換されてもよい；
Ｚ+は、Ｎ（Ｒ14）4+、Ｌｉ+、Ｎａ+またはＫ+であるか、または式（Ｉ）の化合物の一部であるＡ基の一部としてのカチオン基
【化１１】
2011517363.tif 000011
である；
または、式（Ｉ）の化合物は二量体であり、且つＲ6、Ｒ7、Ｒ10、Ｒ29〜Ｒ35の１つはＲ36であるか、またはＲ1が
【化１２】
2011517363.tif 000012
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ1’’、Ｒ2’’、Ｒ3’’、Ｒ4’’はＲ36である；
Ｒ18’はＲ37である；
Ｒ20’およびＲ21’はＲ37、Ｏ−Ｒ37−Ｏ、Ｓ−Ｒ37−Ｓ、ＮＲ14−Ｒ37−ＮＲ14’、ＣＯ−Ｒ37−ＣＯ、ＣＯ−Ｏ−Ｒ37−Ｏ−ＣＯ、ＣＯ−ＮＲ14−Ｒ37−ＮＲ14’−ＣＯ、ＣＯ−Ｓ−Ｒ37−Ｓ−ＣＯ、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アルケニレン、アルキニレン、アリーレン、ヘテロアリーレン、アラルキレン、アラルケニレン、アラルキニレン、シクロアルキレン、アルキレン−アリーレン−アルキレン、シクロアルケニレン、およびシクロアルキニレンはさらに、Ｇによって置換されてもよい；
Ｒ37はＣ1〜Ｃ20−アルキレン、Ｃ2〜Ｃ20−アルケニレン、Ｃ2〜Ｃ20−アルキニレン、Ｃ6〜Ｃ20−アリーレン、Ｃ4〜Ｃ20−ヘテロアリーレン、Ｃ7〜Ｃ20−アラルキレン、Ｃ8〜Ｃ20−アラルケニレン、Ｃ8〜Ｃ20−アラルキニレン、Ｃ4〜Ｃ20−シクロアルキレン、Ｃ1〜Ｃ8−アルキレン−Ｃ6〜Ｃ20−アリーレン−Ｃ1〜Ｃ8−アルキレン
【化１３】
2011517363.tif 000013
、Ｃ5〜Ｃ20−シクロアルケニレンまたはＣ6〜Ｃ20−シクロアルキニレンであり、ここで、アルキレンおよびシクロアルキレンは中断されていないか、若しくはＯ、Ｓ、ＮＲ14またはそれらの組み合わせによって中断されており、且つ、ここでアルキレン、アルケニレン、アルキニレン、アリーレン、ヘテロアリーレン、アラルキレン、アラルケニレン、アラルキニレン、シクロアルキレン、アルキレン−アリーレン−アルキレン、シクロアルケニレンおよびシクロアルキニレンは置換されていないか、またはフッ素によって置換されており、且つ、ここでアリーレン、ヘテロアリーレンおよびアリールはさらにＣ1〜Ｃ20−アルキル、フッ素化されたＣ1〜Ｃ20−アルキルまたはそれらの組み合わせによって置換されてもよく、且つ、残りの置換基は上で定義された通りである、
電極層。
【請求項３】
請求項２に記載の電極層であって、
Ａは式（Ｖ’）〜（ＶＩＩ’）の基である
【化１４】
2011517363.tif 000014
Ｙ-はＣｌ-、Ｂｒ-、Ｉ-、ＳＣＮ-、ＢＦ4-、ＰＦ6-、ＣｌＯ4-、ＳｂＦ6-、ＡｓＦ6-、またはＣ1〜Ｃ20−アルキル−Ｓ（＝Ｏ）2Ｏ-、Ｃ6〜Ｃ20−アリール−Ｓ（＝Ｏ）2Ｏ-、Ｃ1〜Ｃ20−アルキル−Ｏ−Ｓ（＝Ｏ）2Ｏ-、Ｃ6〜Ｃ20−アリール−Ｏ−Ｓ（＝Ｏ）2Ｏ-、Ｃ1〜Ｃ20−アルキル−Ｐ（＝Ｏ）2Ｏ-、Ｃ6〜Ｃ20−アリール−Ｐ（＝Ｏ）2Ｏ-、Ｃ1〜Ｃ20−アルキル−Ｏ−Ｐ（＝Ｏ）2Ｏ-、およびＣ6〜Ｃ20−アリール−Ｏ−Ｐ（＝Ｏ）2Ｏ-からなる群から選択される有機アニオンであり、ここでアリールは置換されていないか、若しくは１〜４個のＣ1〜Ｃ20−アルキルによって置換されている、またはＹ-は式（Ｉ）の化合物の一部であるアニオン基であり、且つ、ＣＯＯ-、Ｓ（＝Ｏ）2Ｏ-、Ｏ−Ｓ（＝Ｏ）2Ｏ-、Ｐ（＝Ｏ）（Ｏ-）（Ｏ-Ｚ+）、Ｐ（＝Ｏ）（ＯＨ）（Ｏ-）、Ｏ−Ｐ（＝Ｏ）（Ｏ-）（Ｏ-Ｚ+）およびＯ−Ｐ（＝Ｏ）（ＯＨ）（Ｏ-）からなる群から選択される；
Ｒ29はＧまたはＣ1〜Ｃ8−アルキルであり、ここでアルキルは置換されていないか、またはピリジニウム*Ｙ-若しくはキノリニウム*Ｙ-によって置換され、ここでピリジニウムおよびキノリニウムはＧによって置換される；
Ｒ30、Ｒ31、Ｒ32、Ｒ33、Ｒ34およびＲ35は独立してＨ、ピリジニウム*Ｙ-またはキノリニウム*Ｙ-であり、ここでピリジニウムおよびキノリニウムはＧによって置換される；
ｎは０または１である；
Ｒ1、Ｒ2、Ｒ3およびＲ4は独立してＨ、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7、フッ素化されたＣ1〜Ｃ4−アルキル、式（ＩＩ）の基、Ｃ1〜Ｃ8−アルキル、またはＣ6−アリールである；
またはＲ1はＤである；
または、Ｒ1とＲ15とが共に、エチレン、トリメチレン、メチレン−Ｏ、Ｏ−メチレン、エチレン−Ｏ、Ｏ−エチレン、メチレン−ＮＲ14、ＮＲ14−メチレン、エチレン−ＮＲ14またはＮＲ14−エチレンを形成し、従って脂肪族の５または６員環を形成する；
またはＲ2とＲ15とが共に−Ｏ−、−Ｓ−または−ＮＲ14−、好ましくは−Ｏ−を形成する；
または、Ｄが式（ＩＶ）の基である場合、Ｒ1およびＲ18は、Ｒ17およびＲ18が結合しているＮ原子と共に、
【化１５】
2011517363.tif 000015
を形成でき、前記の基のそれぞれにおいて、２つのビシナルのＨ原子をベンゾによって置き換えることができ、好ましくは
【化１６】
2011517363.tif 000016
を形成する；
ただし、Ｒ1〜Ｒ4の少なくとも１つはフッ素化されたＣ1〜Ｃ4−アルキルであるか、またはＲ2若しくはＲ4、またはその両方は、−Ｓ（＝Ｏ）2ＯＲ7、−Ｓ（＝Ｏ）2Ｒ7、−Ｓ（＝Ｏ）Ｒ7、−Ｓ（＝Ｏ）ＯＲ7または式（ＩＩ）の基である；
Ｒ5はＯである；
Ｒ6はＮＲ7Ｒ10、ＯＲ7、ＳＲ7、ＮＲ7−ＮＲ10Ｒ11、ＮＲ7−ＯＲ10である；
Ｒ7、Ｒ10およびＲ11は独立してＨ、Ｃ1〜Ｃ8−アルキル、Ｃ6〜Ｃ20−アリール、Ｃ3〜Ｃ16−ヘテロアリール、またはＣ7〜Ｃ10−アラルキルであり、且つ、ここでアルキル、アリール、ヘテロアリールおよびアラルキルは置換されていないか、若しくはハロゲン、Ｓ−Ｒ14、Ｏ−Ｒ14、ＣＯ−Ｒ14、ＣＯ−ＯＲ14、Ｏ−ＣＯ−Ｒ14、ＮＲ14Ｒ14’、ＣＯＮＲ14Ｒ14’またはＮＲ14−ＣＯ−Ｒ14’によって置換され、且つ、アリールおよびヘテロアリールはさらにＣ1〜Ｃ10−アルキルまたはフッ素化されたＣ1〜Ｃ8−アルキル、フッ素化されたＯ−Ｃ1〜Ｃ8−アルキル、−ＣＮ、またはそれらの組み合わせによって置換されてよい；
または、Ｒ2の一部であるＲ7は、Ｒ1と共に直接結合またはメチレンを形成し、従って脂肪族の５または６員環を形成する；
または、Ｒ7がＲ2の一部である場合、それはＲ15と共に直接結合を形成でき、従って脂肪族の６員環を形成する；
または、Ｒ7またはＲ10が、ｎが０の際にＲ2の一部である場合、それは
【化１７】
2011517363.tif 000017
基についてオルトの位置にある置換基Ａと共に、直接結合またはメチレンを形成でき、従って脂肪族の５または６員環を形成する；
Ｒ14、Ｒ14’は独立してＨ、Ｃ1〜Ｃ14−アルキル、Ｃ6−アリールまたはＣ7〜Ｃ10−アラルキルである；
Ｄは独立して式（ＩＩＩ）または（ＩＶ）の基である；
Ｒ17およびＲ18は独立してＣ1〜Ｃ8−アルキル、Ｃ2〜Ｃ8−アルケニル、Ｃ6〜Ｃ20−アリール、Ｃ4〜Ｃ24−ヘテロアリール、Ｃ7〜Ｃ20−アラルキル、Ｃ8〜Ｃ20−アラルケニル、Ｃ8〜Ｃ１0−アラルキニルまたはＣ5〜Ｃ12−シクロアルキルであり、ここでアルキル、アルケニル、アリール、ヘテロアリール、アラルキル、アラルケニル、アラルキニルおよびシクロアルキルは置換されていないか、若しくはテトラヒドロフラニル、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、アリールおよびヘテロアリールはさらにＣ1〜Ｃ8−アルキル、Ｃ2〜Ｃ8−アルケニルまたはＣ8〜Ｃ20−アラルケニルによって置換されてよい；
または、Ｒ17およびＲ20は、Ｒ17およびＲ18が結合しているＮ原子と共に、
【化１８】
2011517363.tif 000018
を形成し、ここで、前記の基のそれぞれにおいて１つまたはそれより多くのＨ原子はＣ1〜Ｃ20−アルキル、Ｃ6〜Ｃ20−アリールまたはそれらの組み合わせによって置き換えられてよく、前記の基のそれぞれにおいて２つのジェミナルのＨ原子はＣ1〜Ｃ20−アルキリデンによって置き換えられてよく、および／または前記の基のそれぞれにおいて２つのビシナルのＨ原子はベンゾ、トリメチレンまたはテトラメチレンによって置き換えられてよく、ここで、ベンゾは置換されていないか、若しくはメチル（フルオレン−９−イリデン）によって置換される；
Ｒ15はＨ、ＮＲ25Ｒ26、ＯＲ25、ＳＲ25、Ｏ−ＣＯ−Ｒ25またはＮＲ25−ＣＯ−Ｒ26である；
Ｒ19、Ｒ20およびＲ21はＨである；
Ｒ25およびＲ26は独立してＨ、Ｃ1〜Ｃ14−アルキル、Ｃ6−アリール、またはＣ7〜Ｃ10−アラルキルであり、ここでアルキル、アリールおよびアラルキルは、置換されていないか、若しくはピリジニウム*Ｙ-、ハロゲン、Ｓ−Ｒ14、Ｏ−Ｒ14、ＣＯ−ＯＲ14、Ｏ−ＣＯ−Ｒ14、ＮＲ14Ｒ14’、ＣＯＮＲ14Ｒ14’、ＮＲ14−ＣＯ−Ｒ14’またはそれらの組み合わせによって置換され、且つ、ピリジニウムおよびアリールはさらにＣ1〜Ｃ8−アルキルによって置換されてよい；
ただし、Ｒ29〜Ｒ35の少なくとも１つはＧ基を含む；
ここでＧは、−Ｒ28−ＣＯＯＨ、−Ｒ28−ＣＯＯ-Ｚ+、−Ｒ28−Ｓ（＝Ｏ）2ＯＨ、−Ｒ28−Ｓ（＝Ｏ）2Ｏ-Ｚ+、−Ｒ28−Ｏ−Ｓ（＝Ｏ）2ＯＨ、−Ｒ28−Ｏ−Ｓ（＝Ｏ）2Ｏ-Ｚ+、−Ｒ28−Ｐ（＝Ｏ）（ＯＨ）2、−Ｒ28−Ｐ（＝Ｏ）（Ｏ-Ｚ+）2、−Ｒ28−Ｐ（＝Ｏ）（ＯＨ）（Ｏ-Ｚ+）、−Ｒ28−Ｏ−Ｐ（＝Ｏ）（ＯＨ）2、−Ｒ28−Ｏ−Ｐ（＝Ｏ）（Ｏ-Ｚ+）2、または−Ｒ28−Ｏ−Ｐ（＝Ｏ）（ＯＨ）（Ｏ-Ｚ+）である、
Ｒ28はＣ1〜Ｃ8−アルキレンであり、それは置換されていないか、若しくはＣＯ−ＯＨによって置換されている；
Ｚ+は、Ｎ（Ｒ14）4+、Ｌｉ+、Ｎａ+またはＫ+であるか、または式（Ｉ）の化合物の一部であるＡ基の一部としてのカチオン基
【化１９】
2011517363.tif 000019
である；
または、式（Ｉ）の化合物は二量体であり、且つＲ6、Ｒ7、Ｒ10、Ｒ29の１つはＲ36であるか、またはＲ18は
【化２０】
2011517363.tif 000020
である；
Ａ’はＡについて定義された通りである；  Ｄ’はＤについて定義された通りである；  Ｒ1’はＲ1について定義された通りである；  Ｒ2’はＲ2について定義された通りである；  Ｒ3’はＲ3について定義された通りである；  Ｒ4’はＲ4について定義された通りである；
Ｒ18’はＲ37である；
Ｒ20’およびＲ21’はＲ37、Ｏ−Ｒ37−Ｏ、Ｓ−Ｒ37−Ｓ、ＮＲ14−Ｒ37−ＮＲ14’、Ｏ−ＣＯ−Ｒ37−ＣＯ−Ｏ、ＮＲ14−ＣＯ−Ｒ37−ＣＯ−ＮＲ14’またはＳ−ＣＯ−Ｒ37−ＣＯ−Ｓである；
Ｒ36はＲ37について定義された通りであり、ここで、アルキレン、アリーレンおよびアルキレン−アリーレン−アルキレンはさらにＧによって置換されてもよい；
Ｒ37はＣ1〜Ｃ20−アルキレン、Ｃ6〜Ｃ10−アリーレンまたはＣ1−アルキレン−Ｃ6−アリーレン−Ｃ1−アルキレンであり、ここでアルキレンは中断されていないか、若しくはＯ、Ｓ、ＮＲ14またはそれらの組み合わせによって中断されている（例えばアルキレンは中断されていない）、且つ、ここでアルキレン、アリーレンおよびアルキレン−アリーレン−アルキレンは置換されていないか、若しくはフッ素によって置換されており、且つ、ここでアリーレンはさらにＣ1〜Ｃ8−アルキル、フッ素化されたＣ1〜Ｃ8−アルキル、またはそれらの組み合わせによって置換されてよい；  且つ、残りの置換基は上に定義された通りである、
電極層。
【請求項４】
請求項３に記載の電極層であって、
Ａは式（Ｖ’）の基である；
Ｙ-はＣｌ-、Ｂｒ-、Ｉ-またはＣ6−アリール−Ｓ（＝Ｏ）2Ｏ-であり、ここでアリールは１つのＣ1〜Ｃ14−アルキルによって置換される、
Ｒ29はＧである；
Ｒ30、Ｒ31、Ｒ32およびＲ33はＨである；
ｎは０または１である；
Ｒ1はＨである；
ｎが１である場合、Ｒ1は追加的にＤであってよい；
ｎが０である場合、Ｒ2は式（ＩＩ）の基である；
ｎが１である場合、Ｒ2がＨであるか、またはＲ2とＲ15とが共に−Ｏ−を形成し、好ましくはＲ2はＨである；
Ｒ3はＨである；
Ｒ4は式（ＩＩ）の基である；
ただし、Ｒ2またはＲ4のいずれかは式（ＩＩ）の基である；
Ｒ5はＯである；
Ｒ6はＮＲ7Ｒ10、ＮＨＲ7、ＯＲ7またはＮ（Ｃ1〜Ｃ8−アルキル）−Ｏ（Ｃ1〜Ｃ8−アルキル）である；
Ｒ7およびＲ10は独立してＣ1〜Ｃ14−アルキル、フッ素化されたＣ1〜Ｃ4−アルキル、ベンジル、Ｃ3〜Ｃ14−ヘテロアリールまたはＣ6〜Ｃ20−アリールであり、ここでアルキルはＮ−（Ｃ1〜Ｃ8−アルキル）2によって置換されてよく、ヘテロアリールはＣＯ−Ｏ−Ｃ1〜Ｃ8−アルキルまたはＣ1〜Ｃ8−アルキルによって置換されてよく、ベンジルおよびアリールはフッ素、Ｃ1〜Ｃ8−アルキル、フッ素化されたＣ1〜Ｃ4−アルキル、Ｏ−Ｃ1〜Ｃ8−アルキルまたはＮ−（Ｃ1〜Ｃ8−アルキル）2によって置換されてよく、またはアリールは塩素、ＣＯ−Ｃ1〜Ｃ8−アルキル、−ＣＮ、フッ素化されたＣ1〜Ｃ4−アルキルまたはフッ素化されたＯ−Ｃ1〜Ｃ4−アルキルによって置換されてよい；
Ｄは式（ＩＩＩ）の基である；
Ｒ17はＣ1〜Ｃ8−アルキルである；
または、Ｒ17およびＲ20は、Ｒ17およびＲ18が結合しているＮ原子と共に、
【化２１】
2011517363.tif 000021
を形成する；
Ｒ18はＣ1〜Ｃ8−アルキル、Ｃ8〜Ｃ20−アラルケニル、Ｃ6〜Ｃ24−ヘテロアリールまたはＣ6〜Ｃ20−アリールであり、ここでアルキルはＯ−Ｃ1〜Ｃ14−アルキルによって置換されてよく、アリールはフッ素、Ｃ1〜Ｃ8−アルキル、Ｓ−Ｃ1〜Ｃ8−アルキル、Ｏ−Ｃ1〜Ｃ14−アルキル、ＣＯ−Ｏ−Ｃ1〜Ｃ8−アルキル、Ｏ−フェニル、Ｎ−（フェニル）2またはＣ8〜Ｃ20−アラルケニルによって置換されてよく、且つ、ヘテロアリールはＣ1〜Ｃ8−アルキル、Ｏ−Ｃ1〜Ｃ8−アルキルまたはＣ8〜Ｃ20−アラルケニルによって置換されてよい；
Ｒ15はＨ、ＯＲ25またはＯ−ＣＯ−Ｒ25である；
Ｒ19、Ｒ20およびＲ21はＨである；
Ｒ25はＣ1〜Ｃ14−アルキルまたはＣ7〜Ｃ10−アラルキルであり、ここでアルキルはピリジニウム*Ｙ-によって置換されてよく、且つ、ピリジニウムはＣ1〜Ｃ8−アルキルによって置換される；
ただし、Ｒ29はＧ基を含む；
Ｇは−Ｒ28−ＣＯＯＨである；
Ｒ28はＣ1〜Ｃ3−アルキレンであり、それは置換されていないか、若しくはＣＯ−ＯＨによって置換されており、好ましくはＲ28はＣ1−アルキレンである；
または、式（Ｉ）の化合物は二量体であり、ｎは０であり、且つＲ7はＣ6−アリーレンであるか、またはＲ21は
【化２２】
2011517363.tif 000022
Ｒ1’はＨである；
Ｒ2’はＨまたは式（ＩＩ）の基である；
Ｒ21’はＯ−Ｃ1〜Ｃ8−アルキレン−Ｏである；
且つ、残りの置換基は上で定義された通りである、
電極層。
【請求項５】
酸化物半導体微細粒子が、ＴｉＯ2、ＳｎＯ2、ＷＯ3、ＺｎＯ、Ｎｂ2Ｏ5、Ｆｅ2Ｏ3、ＺｒＯ2、ＭｇＯ、ＷＯ3、ＺｎＯ、ＣｄＳ、ＺｎＳ、ＰｂＳ、Ｂｉ2Ｓ3、ＣｄＳｅ、ＣｄＴｅまたはそれらの組み合わせで製造される、請求項１から４までのいずれか１項に記載の電極層。
【請求項６】
酸化物半導体微細粒子で製造される多孔質膜が、式（Ｉ）の色素および１つまたはそれより多くのさらなる色素で増感される、請求項１から５までのいずれか１項に記載の電極層。
【請求項７】
さらなる色素が、金属錯体色素および／またはインドリン、クマリン、シアニン、メロシアニン、ヘミシアニン、メチン、アゾ、キノン、キノンイミン、ジケト−ピロロ−ピロール、キナクリドン、スクアライン、トリフェニルメタン、ペリレン、インディゴ、キサンテン、エオシン、ローダミンおよびそれらの組み合わせからなる群から選択される有機色素である、請求項６に記載の電極層。
【請求項８】
色素を添加剤と共に吸着させる、請求項１から７までのいずれか１項に記載の電極層。
【請求項９】
添加剤が共吸着剤、好ましくはステロイド、クラウンエーテル、シクロデキストリン、カリックスアレーン、ポリエチレンオキシドまたはそれらの組み合わせである、請求項８に記載の電極層。
【請求項１０】
請求項１から９までのいずれか１項に定義された電極層を含む、光電変換素子。
【請求項１１】
請求項１０に定義された光電変換素子を含む、色素増感太陽電池。
【請求項１２】
請求項１から４までのいずれか１項に定義された式（Ｉ）の化合物を、色素増感太陽電池における色素として用いる使用。
【請求項１３】
Ｒ7がＲ2の一部であり、且つＲ15と共に脂肪族の６員環を形成する場合、Ｒ6がＯＲ7ではないことを条件とする、
請求項１から４までのいずれか１項に定義された式（Ｉ）の化合物。
【請求項１４】
Ｒ7がＲ2の一部であり、且つＲ15と共に脂肪族の６員環を形成する場合、Ｒ6がＮＲ7Ｒ10であることを条件とする、
請求項１３に記載の式（Ｉ）の化合物。